(57)【要約】【課題】客観的な自動車の走行状態の適正判定を行うことを課題とする。【解決手段】自動車の教習を支援する方法をコンピュータに実行させる自動車教習支援プログラムであって、自動車の走行地域に配置された複数の無線ＩＣタグそれぞれが有するタグ情報を用いて定義され、自動車にとって適正な走行状態および／または不適正な走行状態を示す走行定義（例えば、適正な走行ルートなど）を保持し、自動車に設けられた無線ＩＣタグ読取装置によって自動車の走行に伴って無線ＩＣタグから読み取られたタグ情報を取得し、取得したタグ情報と走行定義とを比較して、自動車の走行状態の適正（例えば走行ルートが適正か否か）を判定し、判定結果を自動車で報知する。【選択図】        図１
2008158347.tif 000002
【特許請求の範囲】
【請求項１】
自動車の教習を支援する方法をコンピュータに実行させる自動車教習支援プログラムであって、
前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持手順と、
前記自動車に設けられた無線ＩＣタグ読取装置によって前記自動車の走行に伴って前記無線ＩＣタグから読み取られたタグ情報を取得するタグ情報取得手順と、
前記タグ情報取得手順によって取得されたタグ情報を所定の記憶部に格納するタグ情報格納手順と、
前記所定の記憶部に格納されたタグ情報と前記走行定義保持手順によって保持された走行定義とを比較して、前記自動車の走行状態の適正を判定する適正判定手順と、
をコンピュータに実行させることを特徴とする自動車教習支援プログラム。
【請求項２】
前記適正判定手順によって判定された前記自動車の走行状態の適正に係る判定結果を前記自動車で報知する報知手順をさらにコンピュータに実行させることを特徴とする請求項１に記載の自動車教習支援プログラム。
【請求項３】
前記走行定義保持手順は、前記走行定義として、前記走行状態の適正または不適正のレベルを示す適正レベルを対応付けた走行定義を保持し、
前記適正判定手順は、前記所定の記憶部に格納されたタグ情報と前記走行定義保持手順によって保持された走行定義とを比較して、前記自動車の走行状態の適正レベルを判定することを特徴とする請求項１または２に記載の自動車教習支援プログラム。
【請求項４】
前記報知手順は、前記適正判定手順によって判定された前記自動車の走行状態の適正レベルに応じて、当該適正レベルごとに異なる報知態様で前記判定結果を前記自動車で報知することを特徴とする請求項３に記載の自動車教習支援プログラム。
【請求項５】
前記走行定義保持手順は、前記走行定義として、複数のタグ情報で一つの走行状態を示す走行定義を保持し、
前記適正判定手順は、同時期に取得されて前記所定の記憶部に格納された複数のタグ情報と前記走行定義保持手順によって保持された走行定義とを比較して、前記自動車の走行状態の適正を判定することを特徴とする請求項１〜４のいずれか一つに記載の自動車教習支援プログラム。
【請求項６】
自動車の教習を支援する自動車教習支援方法であって、
前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持工程と、
前記自動車に設けられた無線ＩＣタグ読取装置によって前記自動車の走行に伴って前記無線ＩＣタグから読み取られたタグ情報を取得するタグ情報取得工程と、
前記タグ情報取得工程によって取得されたタグ情報を所定の記憶部に格納するタグ情報格納工程と、
前記所定の記憶部に格納されたタグ情報と前記走行定義保持工程によって保持された走行定義とを比較して、前記自動車の走行状態の適正を判定する適正判定工程と、
を含んだことを特徴とする自動車教習支援方法。
【請求項７】
自動車の教習を支援する自動車教習支援装置であって、
前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持手段と、
前記自動車に設けられた無線ＩＣタグ読取装置によって前記自動車の走行に伴って前記無線ＩＣタグから読み取られたタグ情報を取得するタグ情報取得手段と、
前記タグ情報取得手段によって取得されたタグ情報を格納するタグ情報格納手段と、
前記タグ情報格納手段に格納されたタグ情報と前記走行定義保持手段によって保持された走行定義とを比較して、前記自動車の走行状態の適正を判定する適正判定手段と、
を備えたことを特徴とする自動車教習支援装置。
【発明の詳細な説明】
【技術分野】
【０００１】
この発明は、自動車教習支援プログラム、自動車教習支援方法、自動車教習支援装置に関する。
【背景技術】
【０００２】
従来より、自動車の実技教習を効率よく行うことを目的として、様々な工夫がなされている。特に、受講者による運転状況が適切ではない状況（改善すべき運転状況）において、受講者への実技教習を効率よく行うためには、どのような実技教習をすべきかという点に関し、各種手法が提案されている。
【０００３】
例えば、特許文献１では、自動車の実技教習を効率よく行うために、歩行者または自転車等との接触事故が起こり易い運転状況（改善すべき運転状況が生じやすい、注意すべき運転状況）を教習所内に模擬的に再現し、さらに、指導官による任意のタイミングと指導官による任意の場所で、繰り返し再現できる人形走行装置が提案されている。
【０００４】
具体的には、特許文献１に係る人形走行装置（人形）は、自動車の側方感覚を養うために（歩行者や自転車との接触、巻き込みなどを避けるために）、教習コース内に設置されたコース上を、指導官による遠隔操縦で走行し、指導官による遠隔操縦で危険動作または危険姿勢（例えば、上体を車道側に倒すなど）をする。
【０００５】
【特許文献１】特開平１０−１１１６４８号公報（第２頁、第１図）
【発明の開示】
【発明が解決しようとする課題】
【０００６】
ところで、上記した従来の技術は、自動車の走行状態の適正についての判定は、指導官の主観からなされるために、同一の指導官でも、また、異なる指導官であればなおさら、必ずしも一定にはならず、客観的ではないという問題点があった。
【０００７】
そこで、この発明は、上述した従来技術の課題を解決するためになされたものであり、走行状態の適正を客観的に判定することが可能な自動車教習支援プログラム、自動車教習支援方法、自動車教習支援装置を提供することを目的とする。
【課題を解決するための手段】
【０００８】
上述した課題を解決し、目的を達成するため、請求項１に係る発明は、自動車の教習を支援する方法をコンピュータに実行させる自動車教習支援プログラムであって、前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持手順と、前記自動車に設けられた無線ＩＣタグ読取装置によって前記自動車の走行に伴って前記無線ＩＣタグから読み取られたタグ情報を取得するタグ情報取得手順と、前記タグ情報取得手順によって取得されたタグ情報を所定の記憶部に格納するタグ情報格納手順と、前記所定の記憶部に格納されたタグ情報と前記走行定義保持手順によって保持された走行定義とを比較して、前記自動車の走行状態の適正を判定する適正判定手順と、をコンピュータに実行させることを特徴とする。
【０００９】
また、請求項２に係る発明は、上記の発明において、前記適正判定手順によって判定された前記自動車の走行状態の適正に係る判定結果を前記自動車で報知する報知手順をさらにコンピュータに実行させることを特徴とする。
【００１０】
また、請求項３に係る発明は、上記の発明において、前記走行定義保持手順は、前記走行定義として、前記走行状態の適正または不適正のレベルを示す適正レベルを対応付けた走行定義を保持し、前記適正判定手順は、前記所定の記憶部に格納されたタグ情報と前記走行定義保持手順によって保持された走行定義とを比較して、前記自動車の走行状態の適正レベルを判定することを特徴とする。
【００１１】
また、請求項４に係る発明は、上記の発明において、前記報知手順は、前記適正判定手順によって判定された前記自動車の走行状態の適正レベルに応じて、当該適正レベルごとに異なる報知態様で前記判定結果を前記自動車で報知することを特徴とする。
【００１２】
また、請求項５に係る発明は、上記の発明において、前記走行定義保持手順は、前記走行定義として、複数のタグ情報で一つの走行状態を示す走行定義を保持し、前記適正判定手順は、前記所定の記憶部に格納された複数のタグ情報と前記走行定義保持手順によって保持された走行定義とを比較して、前記自動車の走行状態の適正を判定することを特徴とする。
【００１３】
また、請求項６に係る発明は、上記の発明において、自動車の教習を支援する自動車教習支援方法であって、前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持工程と、前記自動車に設けられた無線ＩＣタグ読取装置によって前記自動車の走行に伴って前記無線ＩＣタグから読み取られたタグ情報を取得するタグ情報取得工程と、前記タグ情報取得工程によって取得されたタグ情報を所定の記憶部に格納するタグ情報格納工程と、前記所定の記憶部に格納されたタグ情報と前記走行定義保持工程によって保持された走行定義とを比較して、前記自動車の走行状態の適正を判定する適正判定工程と、を含んだことを特徴とする。
【００１４】
また、請求項７に係る発明は、上記の発明において、自動車の教習を支援する自動車教習支援装置であって、前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持手段と、前記自動車に設けられた無線ＩＣタグ読取装置によって前記自動車の走行に伴って前記無線ＩＣタグから読み取られたタグ情報を取得するタグ情報取得手段と、前記タグ情報取得手段によって取得されたタグ情報を格納するタグ情報格納手段と、前記タグ情報格納手段に格納されたタグ情報と前記走行定義保持手段によって保持された走行定義とを比較して、前記自動車の走行状態の適正を判定する適正判定手段と、を備えたことを特徴とする。
【発明の効果】
【００１５】
請求項１および６、７の発明によれば、自動車教習支援装置は、走行定義を保持し、タグ情報を取得し、取得されたタグ情報を格納し、格納されたタグ情報と保持された走行定義とを比較して、自動車の走行状態の適正を判定するので、無線ＩＣタグと自動車との位置関係から自動車の走行状態を正確に取得することができる結果、評価者の主観や能力に左右されずに、自動車の走行状態の適正を客観的に判定することが可能である。
【００１６】
また、請求項２の発明によれば、自動車教習支援装置は、判定結果を自動車で報知するので、自動車の走行状態の適正に係る客観的な判定結果を運転中に得ることができる結果、効率的な教習を行うことが可能である。
【００１７】
また、請求項３の発明によれば、自動車教習支援装置は、走行状態の適正または不適正のレベルを示す適正レベルを対応付けた走行定義を保持し、格納されたタグ情報と走行定義とを比較して、自動車の走行状態の適正レベルを判定するので、自動車の走行状態の適正または不適正レベルを（例えば、適正レベル「１」「２」「３」など）判定することができる結果、より詳細な走行状態の適正を判定することが可能である。
【００１８】
また、請求項４の発明によれば、自動車教習支援装置は、自動車の走行状態の適正レベルに応じて、適正レベルごとに異なる報知態様で判定結果を自動車で報知するので、自動車の走行状態の適正または不適正レベルに対応した態様で報知すること（例えば、運転適正の適正レベルに応じて、「注意」「強い注意」「警告」などの報知態様から選択して報知すること）ができる結果、走行状態の適正を判定した結果により適した報知を行うことが可能である。
【００１９】
また、請求項５の発明によれば、自動車教習支援装置は、複数のタグ情報で一つの走行状態を示す走行定義を保持し、同時期に取得されて格納された複数のタグ情報と走行定義とを比較して、自動車の走行状態の適正を判定するので、様々な種類の走行定義（例えば、複数の無線ＩＣタグを同時に取得した場合、複数の無線ＩＣタグを所定の順番で取得した場合など）を用いることができる結果、より幅広い走行状態の適正を判定することが可能である。
【発明を実施するための最良の形態】
【００２０】
以下に添付図面を参照して、この発明に係る自動車教習支援プログラム、自動車教習支援方法、自動車教習支援装置の実施例を詳細に説明する。なお、以下では、本実施例に係る自動車教習支援装置の概要および特徴、自動車教習支援装置の構成および処理の流れを順に説明する。
【実施例１】
【００２１】
［用語の説明］
まず最初に、以下の実施例で用いる主要な用語を説明する。「無線ＩＣタグ」とは、物体の識別に利用される微小な無線ICチップであり、識別コードなどの情報が記録されており、電波を使って後述するタグ情報取得装置と情報を送受信する。形状は、ラベル型、カード型、コイン型、スティック型など様々である。通信距離は、数ｍｍ程度のものから数ｍのものまである。主な種類として、アクティブ型（電池を内蔵し、微弱電波を発信する無線ＩＣタグ）とパッシブ型（電池を内蔵しない無線ＩＣタグ）があり、どちらの種類の無線ＩＣタグも本発明に適用することができる。
【００２２】
また、以下の実施例で用いる「タグ情報取得装置（特許請求の範囲に記載の「タグ情報取得手順」に対応する。）」とは、無線ＩＣチップと情報の送受信を行い、無線ＩＣチップが格納している識別コードなどを読み取る。一般には、リーダー／ライター（Ｒ／Ｗ）がこれに該当する。
【００２３】
［自動車教習支援プログラムの概要および特徴］
図１を用いて、実施例１に係る自動車教習支援装置の概要および特徴を説明する。図１は、実施例１に係る自動車教習支援装置の概要および特徴を説明するための図である。
【００２４】
実施例１に係る自動車教習支援装置は、自動車の教習を支援する装置であって、以下で説明するように、走行状態の適正を客観的に判定することができる点に主たる特徴がある。すなわち、図１に示すように、走行地域には、それぞれがタグ情報を有する複数の無線ＩＣタグが配置され、自動車には、無線ＩＣタグ読み取り装置が設けられ、無線ＩＣタグを検知すると、無線ＩＣタグからタグ情報を読み取る。そして、実施例１に係る自動車教習支援装置は、自動車の走行地域に配置された複数の無線ＩＣタグそれぞれが有するタグ情報を用いて定義され、自動車にとって適正な走行状態および／または不適正な走行状態を示す走行定義を保持している。具体的には、自動車が走行すべき適正な走行ルート上に配置された無線ＩＣタグのタグ情報が列挙された走行定義や、自動車が走行すべきではない位置（例えば、脱輪・接触など）に配置された無線ＩＣタグのタグ情報が挙げられた走行定義を保持する（図５参照）。
【００２５】
そして、実施例１に係る自動車教習支援装置は、自動車に設けられた無線ＩＣタグ読取装置によって自動車の走行に伴って無線ＩＣタグから読み取られたタグ情報を取得して、所定の記憶部に格納する。例えば、図１の（Ｃ）の例では、自動車は走行に伴って、無線ＩＣタグから読み取られたタグ情報として、「タグ１」と「タグ２」とを取得して、所定の記憶部に格納する。
【００２６】
そして、実施例１に係る自動車教習支援装置は、所定の記憶部に格納されたタグ情報と走行定義とを比較して、自動車の走行状態の適正を判定する（図１の（Ａ）参照）。例えば、取得したタグ情報と適切な走行ルートを示す走行定義（例えば、適切なタグの取得順序）とが一致するか否かを判定し、一致した場合には、適切な走行コースを走行していると判定し（図１の（Ｃ）参照）、一方、一致しない場合には、適切な走行コースを走行していないと判定する（図１の（Ｂ）参照）。また、取得したタグ情報と適切な走行位置を示す走行定義（例えば、脱輪・接触に該当するタグ）とが一致するか否かを判定し、一致した場合には、脱輪・接触したと判定し（図１の（Ｂ）参照）、一方、一致しない場合には、脱輪・接触していないと判定する（図１の（Ｃ）参照）。
【００２７】
このようなことから、実施例１に係る自動車教習支援装置は、無線ＩＣタグと自動車との位置関係から自動車の走行状態を正確に取得することができるので、上記した主たる特徴の如く、評価者の主観や能力に左右されずに、自動車の走行状態の適正を客観的に判定することが可能である。
【００２８】
［自動車教習支援装置の構成］
次に、図２を用いて、図１に示した自動車教習支援装置の構成を説明する。図２は、実施例１に係る自動車教習支援装置の構成を示すブロック図である。同図に示すように、この自動車教習支援装置は、車載装置１００と、タグ情報読取装置２００と、アラーム報知装置４００と、管理センタ装置３００とから構成される。なお、車載装置１００と管理センタ装置３００とは、本発明における自動車教習支援装置に対応する。
【００２９】
タグ情報読取装置２００は、自動車に設置され、自動車の走行に伴って無線ＩＣタグからタグ情報を読み取る。具体的には、無線ＩＣタグを検知すると、無線ＩＣタグからタグ情報（例えば、タグ識別ＩＤ）を取得する。
【００３０】
アラーム報知装置４００は、自動車に設置され、後述するアラーム報知部１４０からアラーム報知を受信すると、アラーム報知を行う。例えば、アラーム報知を受信すると、ブザーをならし、警告を発し、注意をよびかける。
【００３１】
車載装置１００は、タグ情報取得やアラーム報知に係る処理を行い、本発明に密接に係るものとしては、タグ情報取得部１１０と、タグ情報記憶部１２０と、通信部（車載用）１３０と、アラーム報知部１４０とを備える。なお、タグ情報取得部１１０は、特許請求の範囲に記載の「タグ情報格納手順」に対応する。
【００３２】
タグ情報記憶部１２０は、後述するタグ情報取得部１１０によって取得されたタグ情報を格納し、メモリなどによって構成される。具体的には、図３に示すように、自動車を一意に識別するための識別番号を示す「車ＩＤ」を格納するとともに、取得したタグ情報を示す「タグＩＤ」と、タグ情報を取得した時刻を示す「時刻」とを対応付けて格納する。なお、格納された「タグＩＤ」（タグ情報）が読み出されて管理センタ装置３００に送信されるたびに、読み出された「タグＩＤ」（タグ情報）は消去され、新たな「タグＩＤ」（タグ情報）が上書きされる。
【００３３】
例えば、図３に示す例では、タグ情報記憶部１２０は、「車ＩＤ」として「Ａ００１」を格納し、また、「時刻」および「タグＩＤ」として、「１６時００分２０秒」と「１」と等を対応付けて格納する。なお、図３は、実施例１に係るタグ情報記憶部に格納されるタグ情報の一例を示す図である。
【００３４】
タグ情報取得部１１０は、自動車の走行に伴って前記無線ＩＣタグから読み取られたタグ情報を取得する。具体的には、タグ情報読取装置２００によって無線ＩＣタグが検知されると、タグ情報読取装置２００からタグ情報（例えば、検知した無線ＩＣタグを識別する「タグＩＤ」として「１」）を取得し、取得したタグ情報と取得した時刻（例えば、「１６時００分２０秒」）とを対応付けて、タグ情報記憶部１２０に格納する。また、タグ情報記憶部１２０に対応付けて格納させたタグ情報と時刻とを、通信部（車載用）１３０を介して管理センタ装置３００に送信する。なお、タグ情報取得部１１０は、特許請求の範囲に記載の「タグ情報取得手順」に対応する。
【００３５】
通信部（車載用）１３０は、情報を受信または情報を送信する処理を行う。例えば、タグ情報を管理センタ装置３００へ送信し、アラーム報知を管理センタ装置３００から受信する。
【００３６】
アラーム報知部１４０は、後述する管理センタ装置３００からアラーム報知を受信し、受信したアラーム報知をアラーム報知装置４００に送信する。
【００３７】
管理センタ装置３００は、タグ情報取得やアラーム報知に係る処理を行い、本発明に密接に係るものとしては、制御部３１０と、記憶部３２０と、通信部（管理センタ用）３３０と、出力部３４０と、入力部３５０と、入出力制御部３６０とを備える。
【００３８】
通信部（管理センタ用）３３０は、情報を受信または情報を送信する処理を行う。例えば、タグ情報を管理センタ装置３００から受信し、アラーム報知を管理センタ装置３００へ送信する。
【００３９】
出力部３４０は、各種の情報を出力し、モニタ（若しくはディスプレイ、タッチパネル）やスピーカを備えて構成され、例えば、後述するタグ履歴記憶部３２１に格納されたタグ情報（運転情報）を出力する。
【００４０】
入力部３５０は、各種の情報の入力を受付け、キーボードやマウス、マイクなどを備えて構成され、例えば、後述する走行定義保持部３２２に対してアラーム定義を受付け、また、後述するタグ履歴記憶部３２１に格納されたタグ情報（運転情報）を出力する旨の指示を受付ける。
【００４１】
入出力制御部３６０は、管理センタ装置３００においてやり取りする各種情報に関する通信を制御する手段である。
【００４２】
記憶部３２０は、制御部３１０による各種処理に必要なデータおよびプログラムを格納し、本発明に密接に係るものとしては、タグ履歴記憶部３２１と、走行定義保持部３２２とを備える。なお、タグ履歴記憶部３２１は、特許請求の範囲に記載の「タグ情報格納手順」に対応し、走行定義保持部３２２は、特許請求の範囲に記載の「走行定義保持手順」に対応する。
【００４３】
タグ履歴記憶部３２１は、タグ情報取得部１１０によって取得されたタグ情報を格納する。具体的には、図４に示すように、自動車の教習を受けている人物を一意に識別する「教習生Ｎｏ．」と、自動車の教習を受けている人物の名前を示す「教習者  名」とを対応付けて「タグ履歴  教習者テーブル」に格納するとともに、自動車の教習が行われた年月日を示す「年月日」と、後述する自動車の走行に係る適正を判定した結果を示す「判定結果」と、「車ＩＤ」と、「時刻」と、後述する適正判定部３１２による判定結果を示す「走行結果」とを対応付けて「タグ履歴テーブル」に格納する。
【００４４】
例えば、図４に示す例では、タグ履歴記憶部３２１は、「教習者Ｎｏ．」および「教習者  名」として「５４」と「富士通太郎」とを対応付けて「タグ履歴  教習者テーブル」に格納し、また、「年月日」および「判定結果」および「車ＩＤ」として、「２００６年１１月１７日」と「接触あり」と「Ａ００１」とを「タグ履歴テーブル」に格納し、また、「時刻」および「タグＩＤ」として、「１６時００分２０秒」と「１」と等を対応付けて「タグ履歴テーブル」に格納する。なお、図４は、実施例１に係るタグ履歴記憶部に格納されるタグ履歴（タグ情報）の一例を示す図である。
【００４５】
走行定義保持部３２２は、自動車の走行地域に配置された複数の無線ＩＣタグそれぞれが有するタグ情報を用いて定義され、自動車にとって適正な走行状態および／または不適正な走行状態を示す走行定義を保持する。具体的には、自動車が走行すべき適正な走行ルート上に配置された無線ＩＣタグのタグ情報が列挙された走行定義や、自動車が走行すべきではない位置に配置された無線ＩＣタグのタグ情報が挙げられた走行定義を保持する。
【００４６】
より詳細には、走行定義保持部３２２は、図５の（Ａ）に示すように、適正な走行ルートの名前を示す「ルート名」と、適正な走行ルートごとにその走行ルート上に走行順に設置されている無線ＩＣタグのタグ情報を示す「タグＩＤ（取得順序）」とを対応付けて「適正走行ルート定義」に保持し、図５の（Ｂ）に示すように、脱輪や接触に該当する位置に設置されている無線ＩＣタグのタグ情報を示す「タグＩＤ（脱輪・接触）」を「脱輪・接触定義」に保持する。なお、図５は、実施例１に係る走行定義保持部に保持される走行定義の一例を示す図である。
【００４７】
例えば、図５に示す例では、走行定義保持部３２２は、「ルート名」および「タグＩＤ取得順序」として、「ルートＡ」と「１，２，４，５，６，７，８，９，１０」と等を対応付けて「適正走行ルート定義」に保持し、また、「タグＩＤ  脱輪・接触」として、「３０、３１、３２、３３、３４、３５、３６、３７、３８、３９、４０」を「脱輪・接触定義」に保持する。
【００４８】
制御部３１０は、ＯＳ（Operating System）などの制御プログラム、各種の処理手順などを規定したプログラムおよび所要データを格納するための内部メモリを有し、これらによって種々の処理を実行し、本発明に密接に関連するものとしては、タグ情報制御部３１１と、適正判定部３１２と、アラーム報知制御部３１３と、走行情報出力部３１４とを備える。
【００４９】
タグ情報制御部３１１は、車載装置１００からタグ情報（例えば、「タグＩＤ」と「時刻」）を受信すると、タグ履歴記憶部３２１にタグ情報を格納するとともに、後述する適正判定部３１２に適正判定を行う旨の指示をおこなう。
【００５０】
適正判定部３１２は、タグ履歴記憶部３２１に格納されたタグ情報と走行定義保持部３２２に保持された走行定義とを比較して、自動車の走行状態の適正を判定する。具体的には、タグ履歴記憶部３２１に格納されたタグ情報と走行定義保持部３２２に保持された走行定義（適切な走行ルート）とを比較して、複数のタグ情報が走行定義に列挙された通りである場合に、自動車の走行状態が適正である旨を判定し、また、タグ情報が走行定義（不適切な走行位置）に挙げられた通りである場合に、自動車の走行状態が不適正である旨を判定する。そして、判定結果をタグ履歴記憶部３２１に格納させる。なお、適正判定部３１２は、特許請求の範囲に記載の「適正判定手順」に対応する。
【００５１】
例えば、適正判定部３１２は、タグ情報制御部３１１から適正判定を行う旨の指示を受信すると、タグ履歴記憶部３２１に格納されたタグ情報と走行定義とが一致するか否かを判定し、自動車の走行についての適正を判定する。すなわち、タグ履歴記憶部３２１に保持されたタグ情報と適切な走行ルートについての走行定義（例えば、「ルートＡ」のタグ取得順序（図４の（Ａ）参照））とが一致するか否かを判定し、一致した場合には、適切な走行コースを走行していると判定して処理を終了し、一方、一致しない場合には、適切な走行コースを走行していないと判定し、判定結果をタグ履歴記憶部３２１に格納し、後述するアラーム報知制御部３１３に通知する。また、タグ履歴記憶部３２１に格納されたタグ情報と適切な走行位置についての走行定義（「脱輪・接触定義」に保持されている「タグＩＤ」）とが一致するか否かを判定し、一致した場合には、脱輪・接触したと判定し、判定結果をタグ履歴記憶部３２１に格納し、アラーム報知制御部３１３に通知し、一方、一致しない場合には、脱輪・接触していないと判定して処理を終了する。
【００５２】
一例を挙げて説明すれば、適正判定部３１２は、タグ履歴記憶部３２１に「タグＩＤ」として「１」「３１」「３」「４」「５」「６」「７」を格納している場合（図３参照）、適正判定部３１２は、取得したタグ情報である「３１」と「脱輪・接触定義」に格納されている「タグＩＤ」である「３１」（図４の（Ｂ）参照）とが一致するので、「接触・脱輪」があったと判定し、「走行結果」として「接触あり」とタグ履歴記憶部３２１に格納させ、後述するアラーム報知制御部３１３に通知する。
【００５３】
アラーム報知制御部３１３は、適正判定部３１２による適正の判定結果において、アラーム定義と一致した場合に、アラームを通知する。例えば、適正判定部３１２から通知があった場合に、車載装置１００にアラームを報知する。例えば、適性判定部３１２によって「接触・脱輪」があったと判定された場合に、「接触あり」と報知する。
【００５４】
走行情報出力部３１４は、タグ履歴記憶部３２１に格納されたタグ情報（運転情報）を出力する旨の指示を入力部３５０から受け付けると、タグ履歴を取得し、出力部３４０から出力する。例えば、入力部３５０から「教習生Ｎｏ．５４」についてのタグ情報（運転情報）を出力する旨の指示を受け取ると、タグ履歴記憶部３２１に格納されている対応するタグ履歴である「年月日  ２００６年１１月１７日」と、「車ＩＤ  Ａ００１」と、「時刻  １６時００分２０秒、１６時００分３０秒、１６時０１分５０秒、１６時０１分５５秒、１６時０２分２０秒、１６時０２分４０秒、１６時０２分５５秒」と「タグＩＤ  １、３１、３、４、５、６、７」とを取得し、該当する判定結果である「判定結果  接触あり」とを取得し、出力する（例えば、ディスプレイに表示し、紙に印刷する）。
【００５５】
なお、上記の自動車教習装置としては、例えば、自動車教習支援装置（管理センタ側）３００として、事務センタに設けられたコンピュータなどを用いるとともに、自動車教習支援装置（車載側）として、ＨＨＴ（ｈａｎｄ  ｈｅｌｄ  ｔｅｒｍｉｎａｌ）などの電子機器などを用いることができる。また、他のシステムと接続させ（例えば、教習所内にある教習生情報を管理するシステムなど）連携させ、例えば、教習生情報を管理するシステムの情報と、走行情報を併せて出力するなどもできる。また、アラーム報知装置をタグ情報読取装置とは別個の装置とすることもできる。例えば、ＨＨＴをアラーム報知装置および走行情報を出力させるための入力部としても用いることができる。また、無線ＩＣタグを設置する際には、無線ＩＣタグが用いる周波数により生ずる通信距離を有効に使用することにより（例えば、通信距離が長い無線ＩＣタグを、適正な走行ルートを示す走行定義として使用し、通信距離が短い無線ＩＣタグを、脱輪接触を示す走行定義として使用するなど）、効率よく走行定義を設定することができる。
【００５６】
［走行適正判定の処理］
次に、図６を用いて、自動車教習支援装置による走行適正判定の処理を説明する。図６は、実施例１に係る走行適正判定の処理を示すフローチャートである。
【００５７】
同図に示すように、車載装置１００において、タグ情報取得部１１０は、自動車の走行に伴って前記無線ＩＣタグから読み取られたタグ情報を取得すると（ステップＳ１０１肯定）、取得したタグ情報と取得した時刻（例えば、「１６：００  ２０秒」）とを対応付けて、タグ情報記憶部１２０に格納する（ステップＳ１０２）。そして、タグ情報記憶部１２０に対応付けて格納させたタグ情報と時刻とを、通信部（車載用）１３０を介して管理センタ装置３００に送信する（ステップＳ１０３）。
【００５８】
そして、管理センタ装置３００において、タグ情報制御部３１１は、車載装置１００からタグ情報を受信すると（ステップＳ１１１肯定）、タグ履歴記憶部３２１にタグ情報を格納する（ステップＳ１１２）。
【００５９】
そして、管理センタ装置３００において、適正判定部３１２は、タグ情報制御部３１１から適正判定を行う旨の指示を受信すると、タグ履歴記憶部３２１に保持されたタグ情報と走行定義（例えば適切な走行ルート）とが一致するか否かを判定する（ステップＳ１０３）。
【００６０】
ここで、管理センタ装置３００において、適正判定部３１２は、タグ情報と走行定義（適切な走行ルート）とが一致する場合には（ステップＳ１１３肯定）、適切な走行ルートを走行していると判定して処理を終了し、一方、一致しない場合には（ステップＳ１１３否定）、適切な走行ルートを走行していないと判定し、判定結果をタグ履歴記憶部３２１に格納し（ステップＳ１１４）、アラーム報知制御部３１３は、車載装置１００に、アラームを通知する。（ステップＳ１１５）。
【００６１】
そして、車載装置１００において、アラーム報知装置４００は、管理センタ装置３００からアラーム報知を受信すると（ステップＳ１０４肯定）、アラーム報知を行い処理を終了する（ステップＳ１０５）、一方、管理センタ装置３００からアラーム報知を受信しなければ（ステップＳ１０４否定）アラーム報知を行わずに処理を終了する。
【００６２】
［走行情報出力の処理］
次に、図７を用いて、自動車教習支援装置による走行情報出力の処理を説明する。図７は、実施例１に係る走行情報の出力の処理を示すフローチャートである。
【００６３】
走行情報出力部３１４は、入力部３５０からタグ履歴（タグ情報）を出力する旨の指示を受け取ると（ステップＳ２０１肯定）、タグ履歴記憶部３２１に格納されている対応するタグ履歴を取得する（ステップＳ２０２）。
【００６４】
そして、走行情報出力部３１４は、該当する判定結果（例えば、「判定結果  接触あり」）を取得し（ステップＳ２０３）、取得した情報を出力する（ステップＳ２０４）。例えば、ディスプレイに表示し、紙に印刷する。
【００６５】
［実施例１の効果］
上記したように、実施例１によれば、管理センタ装置は、走行定義を保持し、車載装置は、タグ情報読取装置２００によって自動車の走行に伴って無線ＩＣタグから読み取られたタグ情報を取得し、管理センタ装置は、タグ情報と走行定義とを比較して、自動車の走行状態の適正を判定するので、無線ＩＣタグと自動車との位置関係から自動車の走行状態を正確に取得することができる結果、評価者の主観や能力に左右されずに、自動車の走行状態の適正を客観的に判定することが可能である。
【００６６】
また、実施例１によれば、車載装置１００は、管理センタ装置３００によって判定された判定結果を報知するので、自動車の走行状態の適正に係る客観的な判定結果を運転中に得ることができる結果、効率的な教習を行うことが可能である。
【００６７】
また、実施例１によれば、管理センタ装置３００は、自動車が走行すべき適正な走行ルート上に配置された無線ＩＣタグのタグ情報が列挙された走行定義を保持し、格納された複数のタグ情報と走行定義とを比較して、走行定義に列挙された通りである場合に、自動車の走行状態が適正である旨を判定するので、自動車の走行ルートが適切か否かを判定することができる結果、走行状態の適正判定を簡潔に行うことが可能である。
【００６８】
また、実施例１によれば、管理センタ装置３００は、自動車が走行すべきではない位置に配置された無線ＩＣタグのタグ情報が挙げられた走行定義を保持し、格納されたタグ情報と走行定義とを比較して、走行定義に挙げられた通りである場合に、自動車の走行状態が不適正である旨を判定することを特徴とするので、自動車の走行位置が適切か否かを判定することができる結果、走行状態の適正判定を簡潔に行うことが可能である。
【実施例２】
【００６９】
さて、これまで、実施例１として、自動車の走行が適正か否かのみを判定してアラーム報知する場合について説明したが、本発明はこれに限定されるものではなく、自動車の走行にかかわる適正レベルを判定し（例えば、「１」「２」「３」など）、適正レベルごとにアラーム通知を行うようにしてもよい（例えば、「１」の場合に「注意」、「３」の場合に「警告」など）。
【００７０】
そこで、以下では、実施例２として、自動車の走行の適正レベルを判定し、適正レベルごとにアラーム報知を行う場合について説明する。なお、以下では、実施例１に係る自動車教習支援装置と同様の点については、簡単に説明することにする。
【００７１】
図８および図９を用いて、実施例２に係る自動車教習支援装置を説明する。図８は、実施例２に係る自動車教習支援装置の概要および特徴を説明するための図であり、図９は、実施例２に係る走行定義保持部に保持される走行定義の一例を示す図である。
【００７２】
すなわち、図８および図９に示すように、実施例２に係る管理センタ装置は、走行状態の適正または不適正のレベルを示す適正レベルを対応付けた走行定義を保持する。例えば、図８および図９に示す例では、車道における適正な走行位置から外れた場所を「適正レベル：１」と設定し、歩道（車道から近い側）を「適正レベル：２」と設定し、歩道（車道から遠い側）を「適正レベル：３」と設定し、該当するタグ情報と対応付けて保持する。さらに詳細には、「適正レベル」と「タグＩＤ」として、「１」と「３０〜４９」と等を対応付けて保持する。
【００７３】
また、実施例２に係る管理センタ装置は、「適正レベル」と報知態様を示す「アラーム強度」とを対応付けて保持する。例えば、図８および図９に示す例では、「適正レベル：１」と「注意」とを対応付けて保持し、「適正レベル：２」と「強い注意」とを対応付けて保持し、「適正レベル：３」と「警告」とを対応付けて保持する。
【００７４】
そして、実施例２に係る自動車教習支援装置は、所定の記憶部（例えば、図２に示すタグ履歴記憶部３２１や走行定義保持部３２２）に格納されたタグ情報と走行定義とを比較して、自動車の走行状態の適正レベルを判定する。例えば、図８および図９に示すように、タグ情報として「タグＩＤ：３３」を取得した場合に、「適正レベル：１」と判定し、「タグＩＤ：５４」を取得した場合に、「適正レベル：２」と判定し、「タグＩＤ：７５」を取得した場合に、「適正レベル：３」と判定する。
【００７５】
そして、実施例２に係る管理センタ装置は、走行状態の適正レベルに応じて、当該適正レベルごとに異なる報知態様で判定結果を報知する。例えば、図９に示すように、実施例２に係る管理センタ装置は、「適正レベル：１」と判定した場合に、報知態様を「注意」と設定して、実施例２に係る車載装置は、設定された報知態様「注意」に対応するアラーム報知を行う。なお、上述した走行適正判定処理は、主に、図２における適正判定部３１２が行う。
【００７６】
上記したように、実施例２によれば、管理センタ装置は、走行状態の適正または不適正のレベルを示す適正レベルを対応付けた走行定義を保持し、格納されたタグ情報と走行定義とを比較して、自動車の走行状態の適正レベルを判定するので、自動車の走行状態の適正または不適正レベルを（例えば、適正レベル「１」「２」「３」など）判定することができる結果、より詳細な走行状態の適正を判定することが可能である。
【００７７】
また、実施例２によれば、管理センタ装置は、判定された自動車の走行状態の適正レベルに応じて、適正レベルごとに異なる報知態様で判定結果を自動車で報知するので、自動車の走行状態の適正または不適正レベルに対応した態様で報知すること（例えば、運転適正の適正レベルに応じて、「注意」「強い注意」「警告」などの報知態様から選択して報知すること）ができる結果、走行状態の適正を判定した結果により適した報知を行うことが可能である。
【実施例３】
【００７８】
さて、これまで、実施例１および実施例２として、適正な走行ルートか否かや、適正な走行位置か否かを判定する場合について説明したが、本発明はこれに限定されるものではなく、自動車の走行速度について適正判定を行うようにしてもよい。
【００７９】
そこで、以下では、実施例３として、自動車の走行速度の適正を判定する場合について説明する。なお、以下では、実施例１および実施例２に係る自動車教習支援装置と同様の点については、簡単に説明することにする。
【００８０】
図１０および図１１を用いて、実施例３に係る自動車教習支援装置を説明する。図１０は、実施例３に係る走行速度を用いた自動車教習支援装置の概要および特徴を説明するための図であり、図１１は、実施例３に係る走行適正判定の処理の一例を説明するための図である。
【００８１】
すなわち、図１０および図１１に示すように、実施例３に係る管理センタ装置は、所定の記憶部（例えば、図２に示すタグ履歴記憶部３２１）に格納された複数のタグ情報から自動車の走行速度を算出し、当該走行速度から自動車の走行状態の適正をさらに判定する。具体的には、図１１の（Ａ）に示すように、「年月日」と、「タグＩＤ」と、「時刻」とを「タグ履歴テーブル」に対応付けて格納し、図１１の（Ｂ）に示すように、２つの「タグＩＤ」と、２つの無線ＩＣタグ間の距離を示す「タグ間距離」とを対応付けて「タグ間距離定義」に保持する。そして、図１１の（Ｃ）に示すように、「タグ履歴テーブル」と「タグ間距離定義」とを用いて、自動車が走行した走行ルートを示す「走行ルート」と、走行ルートの距離を示す「走行ルート間距離」と、走行ルートを自動車が走行するのに要した時間を示す「走行時間」を求め、そして、自動車の平均速度を示す「平均速度」を算出する。
【００８２】
一例を挙げて「平均速度」の算出について説明すれば、実施例３に係る管理センタ装置は、「タグＩＤ」と「時刻」として「ａ  １０時００分２．４秒」と「ｂ  １０時００分５秒」とを「タグ履歴テーブル」に対応付けて格納し、「タグＩＤ  ａ  ｂ」と「１０」とを「タグ間距離定義」に対応付けて保持する場合に、「走行ルート  ａｂ」「走行ルート間距離  １０」「走行時間  ２．４秒」を求め、そして、「平均時速」は「１５ｋｍ／ｈ」と算出する。
【００８３】
上記したように、実施例３によれば、管理センタ装置は、所定の記憶部に格納された複数のタグ情報から自動車の走行速度を算出し、当該走行速度から自動車の走行状態の適正をさらに判定するので、自動車の走行速度が適切か否かを判定することができる結果、走行状態の適正判定を簡潔に行うことが可能である。
【実施例４】
【００８４】
ところで、これまで実施例１〜３に係る自動車教習支援装置について説明してきたが、この発明は上記した実施例以外にも種々の異なる形態にて実施されてよいものである。そこで、以下では、実施例４に係る自動車教習支援装置として、異なる実施例を説明する。
【００８５】
（１）車間距離を用いる場合について
上記の実施例では、適正な走行ルートか否か、または、適正な走行位置か否か、または、適正な走行速度か否かを判定する場合について説明したが、本発明はこれに限定されるものではなく、自動車の車間距離について適正判定を行うようにしてもよい。
【００８６】
具体的には、自動車には無線ＩＣタグが備えられており、車載装置は、他の自動車に付設された無線ＩＣタグから読み取られたタグ情報をさらに取得し、管理センタ装置は、他の自動車からタグ情報が読み取られたか否かによって、前記自動車の走行状態の適正をさらに判定する。例えば、車間距離が十分であり、他の自動車からタグ情報が読み取られない場合には（図１２の（Ａ）参照）、管理センタ装置は、適切な車間距離で走行していると判定し、一方、車間距離が不足しており、他の自動車からタグ情報を読み取れる場合には（図１２の（Ｂ）参照）、管理センタ装置は、適切な車間距離で走行していないと判定する。なお、図１２は、車間距離を用いて走行適正判定を行う自動車教習支援装置の概要および特徴を説明するための図である。
【００８７】
これによって、自動車教習支援装置は、他の自動車に付設された無線ＩＣタグから読み取られたタグ情報をさらに取得し、他の自動車からタグ情報が読み取られたか否かによって、自動車の走行状態の適正をさらに判定するので、自動車の車間距離が適切か否かを判定することができる結果、走行状態の適正判定を簡潔に行うことが可能である。
【００８８】
（２）複数のタグ情報
また、上記の実施例では、取得した一つのタグ情報を用いて走行の適正を判定する場合について説明したが、本発明はこれに限定されるものではなく、同時期に取得して格納された複数のタグ情報を用いて適正判定を行うようにしてもよい。
【００８９】
具体的には、管理センタ装置は、複数のタグ情報で一つの走行状態を示す走行定義を保持し、同時期に取得して所定の記憶部（例えば、図２に示すタグ履歴記憶部３２１や走行定義保持部３２２）に格納された複数のタグ情報と走行定義とを比較して、自動車の走行状態の適正を判定する。例えば、図１３に示すように、自動車が走行すると同時に複数の無線ＩＣタグからタグ情報を取得するような走行地帯において（図１３の（Ａ）参照）、自動車がどの無線ＩＣタグからタグ情報を同時に取得しているかを用いることにより（図１３の（Ｂ）参照）、自動車の詳細な位置を把握して（図１３の（Ｃ）参照）、走行状態の適正を判定する。なお、図１３は、複数のタグ情報を用いて走行定義を定義する自動車教習支援装置の概要および特徴を説明するための図である。
【００９０】
これによって、自動車教習支援装置は、複数のタグ情報で一つの走行状態を示す走行定義を保持し、同時期に取得されて格納された複数のタグ情報と走行定義とを比較して、自動車の走行状態の適正を判定するので、様々な種類の走行定義（例えば、複数の無線ＩＣタグを同時に取得した場合、複数の無線ＩＣタグを所定の順番で取得した場合など）を用いることができる結果、より幅広い走行状態の適正を判定することが可能である。
【００９１】
（３）アラーム報知
上記の実施例において、アラーム報知として、ブザーをならし、警告を発し、注意をよびかける場合について説明したが、本発明はこれに限定されるものではなく、例えば、ディスプレイで表示する場合や、ランプの点滅などで行う場合にも、この発明を適用することができる。
【００９２】
（４）システム
また、本実施例において説明した文書中や図面中で示した処理手順、制御手順、具体的名称、各種のデータやパラメータを含む情報（例えば、図３、図４、図５、図９、図１０、図１１など）については、特記する場合を除いて任意に変更することができる。
【００９３】
また、図示した各装置の各構成要素は機能概念的なものであり、必ずしも物理的に図示の如く構成されていることを要しない。すなわち、各装置の分散・統合の具体的形態は図示のものに限られず（例えば、図２に示した、車載装置１００と管理センタ装置３００とを統合して、車載装置のみで本発明を実施できるように構成するなど）、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９４】
（５）自動車教習支援プログラム
ところで、上記実施例１では、ハードウェアロジックによって各種の処理を実現する場合を説明したが、本発明はこれに限定されるものではなく、予め用意されたプログラムをコンピュータで実行することによって実現するようにしてもよい。そこで、以下では、図１４を用いて、上記の実施例１に示した自動車教習支援装置と同様の機能を有するプログラムを実行するコンピュータの一例を説明する。図１４は、実施例１における自動車教習支援装置のプログラムを示す図である。
【００９５】
同図に示すように、車載装置１４００は、タグ情報読取装置１４０１、スピーカ１４０２、アラーム報知装置１４０３、ディスプレイ１４０４、ＲＡＭ１４０６、ＨＤＤ１４０７、ＣＰＵ１４０８、ＲＯＭ１４０９、通信部１４１０をバス１４０５などで接続して構成されている。管理センタ装置１３００は、操作キー１３０１、カメラ１３０２、スピーカ１３０３、通信部１３０４、ディスプレイ１３０５、ＲＡＭ１３０７、ＨＤＤ１３０８、ＣＰＵ１３０９，ＲＯＭ１３１０をバス１３０６などで接続して構成されている。自動車教習装置（車載部）１４００と自動車教習装置（管理センタ部）１３００は、ネットワークや有線、無線（赤外線通信、ブルートゥース（登録商標）など）などを介して、通信部１４１０および通信部１３０４によって接続されている。
【００９６】
ＲＯＭ１４０９には、上記の実施例１で示したタグ情報取得部１１０およびアラーム報知部１４０および通信部（車載用）１３０（例えば、図２参照）と同様の機能を発揮するタグ情報取得プログラムおよびアラーム報知プログラムおよび通信プログラム、つまり、図１４に示すように、タグ情報取得プログラム１４０９ａと、アラーム報知プログラム１４０９ｂと、通信プログラム１４０９ｃとが予め保持されている。なお、これらプログラム１４０９ａ〜１４０９ｃについては、図２に示した車載装置１００と同様、適宜統合または分離してもよい。
【００９７】
そして、ＣＰＵ１４０８が、これらのプログラム１４０９ａ〜１４０９ｃをＲＯＭ１４０９から読み出して実行することにより、図１４に示すように、各プログラム１４０９ａ〜１４０９ｃは、タグ情報取得プロセス１４０８ａと、アラーム報知プロセス１４０８ｂと、通信プロセス１４０８ｃとして機能するようになる。なお、各プロセス１４０８ａ〜１４０８ｃは、図２に示した、タグ情報取得部１１０と、アラーム報知部１４０と、通信部（車載用）１３０とにそれぞれ対応する。
【００９８】
また、ＲＯＭ１３１０には、上記の実施例１で示した制御部３１０および通信部（管理センタ用）３３０おび出力部３４０および入力部３５０および入出力制御部３６０と同様の機能を発揮する制御プログラムおよび通信プログラムおよび出力プログラムおよび入力プログラムおよび入出力制御プログラム、つまり、図１４に示すように、タグ情報制御プログラム１３１０ａおよび適正判定プログラム１３１０ｂおよびアラーム報知プログラム１３１０ｃおよび走行情報出力プログラム１３１０ｄおよび通信プログラム１３１０ｅおよび出力プログラム１３１０ｆおよび入力プログラム１３１０ｇおよび入出力制御プログラム１３１０ｈとが予め保持されている。なお、これらプログラム１３１０ａ〜１３１０ｈについては、図２に示した管理センタ装置３００の各構成要素と同様、適宜統合または分離してもよい。
【００９９】
そして、ＣＰＵ１３０９が、これらのプログラム１３１０ａ〜１３１０ｈをＲＯＭ１３１０から読み出して実行することにより、図１４に示すように、各プログラム１３１０ａ〜１３１０ｈは、タグ情報制御プロセス１３０９ａおよび適正判定プロセス１３０９ｂおよびアラーム報知プロセス１３０９ｃおよび走行情報出力プロセス１３０９ｄおよび通信プロセス１３０９ｅおよび出力プロセス１３０９ｆおよび入力プロセス１３０９ｇおよび入出力制御プロセス１３０９ｈとして機能するようになる。なお、各プロセス１３０９ａ〜１３０９ｈは、図２に示した、タグ情報制御部３１１と、適正判定部３１２と、アラーム報知制御部３１３と、走行情報出力部３１４と、通信部（管理センタ用）３３０と、出力部３４０と、入力部３５０および入出力制御ＩＦ部３６０とにそれぞれ対応する。
【０１００】
なお、本実施例で説明した各プログラム１４０９ａ〜１４０９ｃや１３１０ａ〜１３１０ｈについては、必ずしも最初からＲＯＭに保持させておく必要はなく、例えば車載装置１００また管理センタ装置３００に挿入されるフレキシブルディスク、ＣＤ−ＲＯＭ、ＭＯディスク、ＤＶＤディスク、光磁気ディスク、ＩＣカードなどの「可搬用の物理媒体」、または、車載装置１００また管理センタ装置３００の内外に備えられるＨＤＤなどの「固定用の物理媒体」、さらには、公衆回線、インターネット、ＬＡＮ、ＷＡＮなどを介して車載装置１００また管理センタ装置３００に接続される「他のコンピュータ（またはサーバ）」などに各プログラムを保持させておき、車載装置１００また管理センタ装置３００がこれらから各プログラムを読みだして実行するようにしてもよい。
【０１０１】
（付記１）自動車の教習を支援する方法をコンピュータに実行させる自動車教習支援プログラムであって、
前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持手順と、
前記自動車に設けられた無線ＩＣタグ読取装置によって前記自動車の走行に伴って前記無線ＩＣタグから読み取られたタグ情報を取得するタグ情報取得手順と、
前記タグ情報取得手順によって取得されたタグ情報を所定の記憶部に格納するタグ情報格納手順と、
前記所定の記憶部に格納されたタグ情報と前記走行定義保持手順によって保持された走行定義とを比較して、前記自動車の走行状態の適正を判定する適正判定手順と、
をコンピュータに実行させることを特徴とする自動車教習支援プログラム。
【０１０２】
（付記２）前記適正判定手順によって判定された前記自動車の走行状態の適正に係る判定結果を前記自動車で報知する報知手順をさらにコンピュータに実行させることを特徴とする付記１に記載の自動車教習支援プログラム。
【０１０３】
（付記３）前記走行定義保持手順は、前記走行定義として、前記走行状態の適正または不適正のレベルを示す適正レベルを対応付けた走行定義を保持し、
前記適正判定手順は、前記所定の記憶部に格納されたタグ情報と前記走行定義保持手順によって保持された走行定義とを比較して、前記自動車の走行状態の適正レベルを判定することを特徴とする付記１または２に記載の自動車教習支援プログラム。
【０１０４】
（付記４）前記報知手順は、前記適正判定手順によって判定された前記自動車の走行状態の適正レベルに応じて、当該適正レベルごとに異なる報知態様で前記判定結果を前記自動車で報知することを特徴とする付記３に記載の自動車教習支援プログラム。
【０１０５】
（付記５）前記走行定義保持手順は、前記走行定義として、複数のタグ情報で一つの走行状態を示す走行定義を保持し、
前記適正判定手順は、同時期に取得されて前記所定の記憶部に格納された複数のタグ情報と前記走行定義保持手順によって保持された走行定義とを比較して、前記自動車の走行状態の適正を判定することを特徴とする付記１〜４のいずれか一つに記載の自動車教習支援プログラム。
【０１０６】
（付記６）前記走行定義保持手順は、前記走行定義として、前記自動車が走行すべき適正な走行ルート上に配置された無線ＩＣタグのタグ情報が列挙された走行定義を保持し、
前記適正判定手順は、前記所定の記憶部に格納された複数のタグ情報と前記走行定義保持手順によって保持された走行定義とを比較して、前記複数のタグ情報が前記走行定義に列挙された通りである場合に、前記自動車の走行状態が適正である旨を判定することを特徴とする付記１〜５のいずれか一つに記載の自動車教習支援プログラム。
【０１０７】
（付記７）前記走行定義保持手順は、前記走行定義として、前記自動車が走行すべきではない位置に配置された無線ＩＣタグのタグ情報が挙げられた走行定義を保持し、
前記適正判定手順は、前記所定の記憶部に格納されたタグ情報と前記走行定義保持手順によって保持された走行定義とを比較して、前記タグ情報が前記走行定義に挙げられた通りである場合に、前記自動車の走行状態が不適正である旨を判定することを特徴とする付記１〜５のいずれか一つに記載の自動車教習支援プログラム。
【０１０８】
（付記８）前記適正判定手順は、前記所定の記憶部に格納された複数のタグ情報から前記自動車の走行速度を算出し、当該走行速度から前記自動車の走行状態の適正をさらに判定することを特徴とする付記１〜５のいずれか一つに記載の自動車教習支援プログラム。
【０１０９】
（付記９）前記タグ情報取得手順は、他の自動車に付設された無線ＩＣタグから読み取られたタグ情報をさらに取得し、
前記適正判定手順は、他の自動車からタグ情報が読み取られたか否かによって、前記自動車の走行状態の適正をさらに判定することを特徴とする付記１〜５のいずれか一つに記載の自動車教習支援プログラム。
【０１１０】
（付記１０）自動車の教習を支援する自動車教習支援方法であって、
前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持工程と、
前記自動車に設けられた無線ＩＣタグ読取装置によって前記自動車の走行に伴って前記無線ＩＣタグから読み取られたタグ情報を取得するタグ情報取得工程と、
前記タグ情報取得工程によって取得されたタグ情報を所定の記憶部に格納するタグ情報格納工程と、
前記所定の記憶部に格納されたタグ情報と前記走行定義保持工程によって保持された走行定義とを比較して、前記自動車の走行状態の適正を判定する適正判定工程と、
を含んだことを特徴とする自動車教習支援方法。
【０１１１】
（付記１１）自動車の教習を支援する自動車教習支援装置であって、
前記自動車の走行地域に配置された複数の無線ＩＣタグそれぞれが有するタグ情報を用いて定義され、前記自動車にとって適正な走行状態および／または不適正な走行状態を示す走行定義を保持する走行定義保持手段と、
前記自動車に設けられた無線ＩＣタグ読取装置によって前記自動車の走行に伴って前記無線ＩＣタグから読み取られたタグ情報を取得するタグ情報取得手段と、
前記タグ情報取得手段によって取得されたタグ情報を格納するタグ情報格納手段と、
前記タグ情報格納手段に格納されたタグ情報と前記走行定義保持手段によって保持された走行定義とを比較して、前記自動車の走行状態の適正を判定する適正判定手段と、
を備えたことを特徴とする自動車教習支援装置。
【産業上の利用可能性】
【０１１２】
以上のように、本発明に係る自動車教習支援プログラム、自動車教習支援装置、自動車教習支援方法は、自動車の教習に有用であり、特に、評価者の主観や能力に左右されずに、自動車の走行状態の適正を客観的に判定することに適する。
【図面の簡単な説明】
【０１１３】
【図１】実施例１に係る自動車教習支援装置の概要および特徴を説明するための図である。
【図２】実施例１に係る自動車教習支援装置の構成を示すブロック図である。
【図３】実施例１に係るタグ情報記憶部に格納されるタグ情報の一例を示す図である。
【図４】実施例１に係るタグ履歴記憶部に格納されるタグ履歴の一例を示す図である。
【図５】実施例１に係る走行定義保持部に保持される走行定義の一例を示す図である。
【図６】実施例１に係る走行適正判定の処理を示すフローチャートである。
【図７】実施例１に係る走行情報の出力の処理を示すフローチャートである。
【図８】実施例２に係る自動車教習支援装置の概要および特徴を説明するための図である。
【図９】実施例２に係る走行定義保持部に保持される走行定義の一例を示す図である。
【図１０】実施例３に係る走行速度を用いた自動車教習支援装置の概要および特徴を説明するための図である。
【図１１】実施例３に係る走行適正判定の処理の一例を説明するための図である。
【図１２】車間距離を用いて走行適正判定を行う自動車教習支援装置の概要および特徴を説明するための図である。
【図１３】複数のタグ情報を用いて走行定義を定義する自動車教習支援装置の概要および特徴を説明するための図である。
【図１４】実施例１における自動車教習支援装置のプログラムを示す図である。
【符号の説明】
【０１１４】
１１０  タグ情報取得部
２００  タグ情報読取装置
３００  管理センタ装置
３１２  適正判定部
３１３  アラーム報知制御部
３１４  走行情報出力部
３２１  タグ履歴記憶部
３２２  走行定義保持部
【図１】
2008158347.tif 000003
【図２】
2008158347.tif 000004
【図３】
2008158347.tif 000005
【図４】
2008158347.tif 000006
【図５】
2008158347.tif 000007
【図６】
2008158347.tif 000008
【図７】
2008158347.tif 000009
【図８】
2008158347.tif 000010
【図９】
2008158347.tif 000011
【図１０】
2008158347.tif 000012
【図１１】
2008158347.tif 000013
【図１２】
2008158347.tif 000014
【図１３】
2008158347.tif 000015
【図１４】
2008158347.tif 000016